(57)【要約】【課題】清掃性および意匠性を向上させることができるトイレキャビネットを提供する。【解決手段】トイレ空間における便器の後方または側方に設けられるトイレキャビネット１において、便器の後方または側方に便器と対向して設けられる第１幕板２３と、第１幕板２３の上部側に接続され便器と離反する側に延びる第１天板２４と、を有し、第１天板２４は、前端面２４１（便器側の端面）が第１幕板２３の上部側の裏面２３２（側面）に接続される。【選択図】図７
2020110427.tif 000002
【特許請求の範囲】
【請求項１】
トイレ空間における便器の後方または側方に設けられるトイレキャビネットにおいて、
前記便器の後方または側方に前記便器と対向して設けられる幕板と、
前記幕板の上部側に接続され前記便器と離反する側に延びる天板と、を有し、
前記天板は、前記便器側の端面が前記幕板の上部側の側面に接続されることを特徴とするトイレキャビネット。
【請求項２】
前記幕板の上端部は、前記天板よりも上方に突出している請求項１に記載のトイレキャビネット。
【請求項３】
前記幕板の上端部は、前記天板よりも１〜７ｍｍ上方に突出している請求項２に記載のトイレキャビネット。
【請求項４】
前記天板は、前記便器側の端面全体が前記幕板の上部側の側面に接続される請求項１乃至３のいずれか一項に記載のトイレキャビネット。
【請求項５】
前記天板は、前記便器側の端面全体が前記幕板と面接触している請求項１乃至４のいずれか一項に記載のトイレキャビネット。
【発明の詳細な説明】
【技術分野】
【０００１】
本発明は、トイレキャビネットに関する。
【背景技術】
【０００２】
従来、トイレ空間における便器とこの便器の後方や側方の壁部との間に設けられるトイレキャビネットが知られている（例えば、特許文献１参照）。このようなトイレキャビネットは、便器と壁部との空間を覆うカバー部を有し、便器の後方や側方に設けられた止水栓やコンセント、給排水管などを隠すことができる。カバー部は、例えば、壁部と間隔をあけて対向して設けられる幕板と、幕板の上部から壁部へ延びる天板と、を有している。
【先行技術文献】
【特許文献】
【０００３】
【特許文献１】特許第２８０５１３７号公報
【発明の概要】
【発明が解決しようとする課題】
【０００４】
特許文献１に開示されたカバー部では、天板が幕板の上端面の上部に載置されているため、幕板の上端面と天板の下面との境界部が便器側（使用者側）に露出した状態となる。このため、トイレキャビネットを清掃する際に、便器側の面を清掃しようとすると、幕板と天板との境界部が清掃しづらいという問題がある。例えば、トイレキャビネットの便器側の面をクロスなどで拭き掃除する場合、幕板と天板との境界部にクロスが引っかかり作業性が悪いという問題がある。
また、キャビネットの便器側の面に、幕板と天板との境界部が露出しないすっきりとした見栄えも望まれている。
【０００５】
そこで、本発明は、清掃性および意匠性を向上させることができるトイレキャビネットを提供することを目的とする。
【課題を解決するための手段】
【０００６】
上記目的を達成するため、本発明に係るトイレキャビネットは、トイレ空間における便器の後方または側方に設けられるトイレキャビネットにおいて、前記便器の後方または側方に前記便器と対向して設けられる幕板と、前記幕板の上部側に接続され前記便器と離反する側に延びる天板と、を有し、前記天板は、前記便器側の端面が前記幕板の上部側の側面に接続されることを特徴とする。
【０００７】
本発明では、天板は、便器側の端面が幕板の上部側の側面に接続されていることにより、トイレキャビネットの便器側の面に幕板と天板との境界部が露出することを抑えることができるとともに、天板の便器側の端面の露出を抑えることができる。このため、トイレキャビネットの便器側の面の清掃性をよくすることができるとともに、意匠性を向上させることができる。
幕板の上部側の側面とは、幕板の上端部を含む上端部近傍の領域の側面を示している。
【０００８】
また、本発明に係るトイレキャビネットでは、前記幕板の上端部は、前記天板よりも上方に突出していてもよい。
このような構成とすることにより、天板の上方に物品を載置した際に、物品が天板の便器側の端部から落下することを防止することができる。また、幕板と天板との境界部が便器側から見えにくくなるため、意匠性を向上させることができる。
【０００９】
また、本発明に係るトイレキャビネットでは、前記幕板の上端部は、前記天板よりも１〜７ｍｍ上方に突出していてもよい。
このような構成とすることにより、天板の上方に物品を載置した際に、物品が天板の便器側の端部から落下することを防止することができるとともに、使用者が天板の上に手をかけた際に天板と幕板との境界部分の段差と当たった場合でも、段差を不快に感じることがない。
【００１０】
また、本発明に係るトイレキャビネットでは、前記天板は、前記便器側の端面全体が前記幕板の上部側の側面に接続されていてもよい。
このような構成とすることにより、トイレキャビネットの便器側の面に幕板と天板との境界部が露出することがないとともに、天板の便器側の端面の露出を無くすことができる。このため、トイレキャビネットの便器側の面の清掃性を更によくすることができるとともに、意匠性を更に向上させることができる。
【００１１】
また、本発明に係るトイレキャビネットでは、前記天板は、前記便器側の端面全体が前記幕板と面接触していてもよい。
このような構成とすることにより、天板の便器側の端面と幕板との隙間がなくなるため、隙間にゴミや埃がたまることがなく、トイレキャビネットの清掃性をよくすることができる。
【発明の効果】
【００１２】
本発明によれば、清掃性および意匠性を向上させることができる。
【図面の簡単な説明】
【００１３】
【図１】本発明の第１実施形態によるトイレキャビネットが設けられたトイレ空間の一例を示す平面図である。
【図２】図１の正面図（前側から見た図）である。
【図３】図１の側面図（右側から見た図）である。
【図４】トイレキャビネットおよび手洗い器を示す斜視図である。
【図５】第１カバー部の表側を示す斜視図である。
【図６】第１カバー部の裏側を示す斜視図である。
【図７】図６のＡ−Ａ線断面図である。
【図８】図６のＢ−Ｂ線断面図である。
【図９】第１固定フレーム部の斜視図である。
【図１０】図９のＣ−Ｃ線断面図である。
【図１１】図９のＤ−Ｄ線断面図である。
【図１２】図４のＥ−Ｅ線断面図である。
【図１３】第２カバー部の表側を示す斜視図である。
【図１４】第２カバー部の裏側を示す斜視図である。
【図１５】第２固定フレーム部の斜視図である。
【図１６】図４のＦ−Ｆ線断面図である。
【図１７】接続部を上方から見た平面図である。
【図１８】図１７をＧ方向から見た図である。
【図１９】図１７の上板部を外した図である。
【図２０】収納部の斜視図である。
【図２１】縦板部を後側から見た斜視図である。
【図２２】第２実施形態によるトイレキャビネットの接続部を示す図である。
【図２３】第２実施形態の縦板部を示す斜視図である。
【図２４】第３実施形態によるトイレキャビネットの第１カバー部の裏側を示す斜視図である。
【図２５】第３実施形態によるトイレキャビネットの第１固定フレーム部の斜視図である。
【図２６】第１幕板上側被係止部を示す斜視図である。
【図２７】第１幕板上側係止部を示す斜視図である。
【図２８】第３実施形態によるトイレキャビネットの第１カバー部が第１固定フレーム部に取り付けられた様子を示す縦断面図である。
【図２９】第４実施形態によるトイレキャビネットが設けられたトイレ空間の一例を示す平面図である。
【図３０】第４実施形態によるトイレキャビネットの第１キャビネットを示す斜視図である。
【図３１】第４実施形態によるトイレキャビネットの第１キャビネットの分解斜視図である。
【図３２】本実施形態による接続部の第１変形例を示す図である。
【図３３】本実施形態による接続部の第２変形例を示す図である。
【図３４】本実施形態による第１カバー部の第１変形例を示す図である。
【図３５】本実施形態による第１カバー部の第２変形例を示す図である。
【図３６】本実施形態による第１カバー部の第３変形例を示す図である。
【図３７】本実施形態による第１カバー部の第４変形例を示す図である。
【発明を実施するための形態】
【００１４】
（第１実施形態）
以下、本発明の第１実施形態によるトイレキャビネット１について、図１乃至図２１に基づいて説明する。
図１−図３に示すように、第１実施形態によるトイレキャビネット１は、トイレ空間１１に便器１２および手洗い器１３と共に設置されている。
以下では、便器１２については、その便座に着座した使用者の前方となる側を前側、その反対側を後側とし、前側と後側とを結ぶ方向を前後方向とする。前後方向と直交する水平方向を左右方向とし、左右方向の右側および左側は、便座に着座し前側を向く使用者の右側および左側と同じ側とする。
便器１２の後側には壁面が前後方向を向く第１壁部１４が設けられ、便器１２の左側には壁面が左右方向を向く第２壁部１５が設けられている。便器１２は、第１壁部１４と第２壁部１５との角部１６寄りに設けられている。
【００１５】
便器１２は、水道直結式で、洗浄水を貯留するタンク（ロータンク）を備えていない、所謂タンクレストイレとなっている。
図２および図３に示すように、便器１２へ接続される給水管１７１は、第１壁部１４に設けられた止水栓１７２から給水されるように構成されている。
止水栓１７２は、第１壁部１４から前方に突出している。止水栓１７２には、下流側の流水方向を第１壁部１４に沿った方向（下方向）に屈曲させるエルボ部材１７３が用いられている。給水管１７１は、エルボ部材１７３の下流側に接続されている。
エルボ部材１７３の下流側の流水方向は、第１壁部１４に沿った方向となるため、エルボ部材１７３の下流側に接続される給水管１７１は、第１壁部１４に沿った姿勢となっている。
便器１２の排水は、床下の排水管へ流れるように構成されている。
【００１６】
手洗い器１３は、第２壁部１５に取り付けられている。本実施形態では、手洗い器１３の給排水は、便器１２の給排水と別系統ではなく統合されている。このため、手洗い器１３に接続されている給水管１３１（図２参照）は、止水栓１７２から分岐されている。手洗い器１３に接続されている排水管１３２は、便器１２の排水管に接続され、便器１２の排水とともに床下の排水管に流れるように構成されている。手洗い器１３に接続された給水管１３１および排水管１３２は、第１壁部１４および第２壁部１５に沿って配管されている。
【００１７】
図１−図４に示すように、トイレキャビネット１は、第１壁部１４に沿って設けられる第１キャビネット２と、第１キャビネット２と離間し第２壁部１５に沿って設けられる第２キャビネット４と、第１壁部１４と第２壁部１５との角部１６（図１−図３参照）に沿って設けられ第１キャビネット２と第２キャビネット４とを接続する接続部６と、を有している。
【００１８】
図１に示すように、第１キャビネット２は、平面視形状が左右方向に長い長方形で、左側の端部が第２壁部１５と離間している。
第２キャビネット４は、平面視形状が前後方向に長い長方形で、後側の端部が第１壁部１４と離間している。第２キャビネット４は、手洗い器１３の後側に設けられている。第２キャビネット４の前側の縁部が手洗い器１３と当接している。
【００１９】
第１キャビネット２の左側の端部２ａは、第２キャビネット４の右側の端部（第２幕板４３の表面４３１）よりも右側に位置している。すなわち、第１キャビネット２の左側の端部２ａと第２壁部１５との間隔は、第２キャビネット４の左右方向の寸法よりも大きく設定されている。
第２キャビネット４の後側の端部４ａは、第１キャビネット２の前側の端部（第１幕板２３の表面２３１）よりも前側に位置している。すなわち、第２キャビネット４の後側の端部４ａと第１壁部１４との間隔は、第１キャビネット２の前後方向の寸法よりも大きく設定されている。
接続部６は、第１キャビネット２の左側の端部５ａと第２キャビネット４の後側の端部４ａとの間に設けられている。
【００２０】
本実施形態では、第１キャビネット２、第２キャビネット４および接続部６は、ほぼ同じ高さ寸法に形成され、それぞれ下端部が床上約２００ｍｍに位置し、上端部が約８００ｍｍに位置するように同じ高さに設けられている。手洗い器１３についても第１キャビネット２、第２キャビネット４および接続部６とほぼ同じ高さ寸法に形成され、ほぼ同じ高さに配置されている。
【００２１】
図４に示すように、第１キャビネット２は、便器１２（図１参照）の後方に設けられて便器１２と第１壁部１４との間の空間を閉塞する第１カバー部２１と、第１壁部１４に固定され、第１カバー部２１を着脱可能な第１固定フレーム部２２と、を有している。
【００２２】
図５および図６に示すように、第１カバー部２１は、第１幕板２３と、第１幕板２３と連結された第１天板２４と、第１幕板２３に取り付けられて第１固定フレーム部２２に係止される第１幕板被係止部２５（図６参照）と、第１天板２４に設けられて第１固定フレーム部２２に係止される第１天板被係止部２６（図６参照）と、を有している。
第１幕板２３は、平板状に形成され板面が前後方向を向いた姿勢で便器１２の後方に設置される。第１幕板２３の上記の姿勢における前面を表面２３１とし、後側の面を裏面２３２とする。
第１幕板２３には、下部側の左右方向の中間部に、下側に開口する切り欠き部２３３が形成されている。第１幕板２３が便器１２の後方に設置されると、切り欠き部２３３には便器１２と接続される給水管、排水管が設置される。
【００２３】
第１天板２４は、平板状に形成され板面が上下方向を向いた姿勢で第１幕板２３の裏面２３２の上縁部近傍に後側に突出するように連結されている。本実施形態では、第１天板２４と第１幕板２３とは、Ｌ字形金具などで固定されている。
図７に示すように、第１天板２４の前端面２４１（便器１２側の端面）は、全体が第１幕板２３の上部側の裏面２３２（側面）と面接触している。換言すると、第１幕板２３は、第１天板２４に対して縦勝ちに配置されている。
第１天板２４の上面２４２は、第１幕板２３の上端面２３４（上端部）よりもやや下側（例えば、１〜７ｍｍ下側）に配置されている。このため、第１カバー部２１には、第１幕板２３の裏面２３２と、第１天板２４の上面２４２とがなす段部２１２が形成されている。
【００２４】
図６および図８に示すように、第１幕板被係止部２５は、鋼板を加工した第１金具７１が使用され、第１金具７１が第１幕板２３の裏面２３２に固定されることで構成されている。第１金具７１は、弾性変形可能に構成されている。
図８に示すように、第１金具７１は、第１幕板２３の裏面２３２に沿って固定される固定板部７１１と、固定板部７１１の下縁部から後に突出する突出板部７１２と、突出板部７１２の後縁部から下側に延びる鉛直板部７１３と、鉛直板部７１３から下側に向かって漸次前側に延びる第１傾斜板部７１４と、第１傾斜板部７１４の下縁部からさらに下側に向かって漸次後側に延びる第２傾斜板部７１５と、を有している。
固定板部７１１は、ネジなどの固定具で第１幕板２３に固定されている。
鉛直板部７１３は、第１幕板２３の裏面２３２と平行に設けられている。
本実施形態では、第１幕板被係止部２５は、切り欠き部２３３の左右方向の両側に設けられている。
【００２５】
第１金具７１が第１幕板２３の裏面２３２に固定されると、鉛直板部７１３、第１傾斜板部７１４および第２傾斜板部７１５は、それぞれ第１幕板２３の裏面２３２と離間し、突出板部７１２の下側で、鉛直板部７１３、第１傾斜板部７１４および第２傾斜板部７１５と、第１幕板２３の裏面２３２との間に隙間（以下、第１係止空部７１６とする）が形成される。
第１傾斜板部７１４と第２傾斜板部７１５との接続部分には、角部７１８が形成されている。この角部７１８は、第１幕板２３の裏面２３２に向かって突出している。角部７１８と第１幕板２３の裏面２３２との間隔が、鉛直板部７１３と第１幕板２３の裏面２３２との間隔よりも小さく設定されている。角部７１８と第１幕板２３の裏面２３２との間隔は、第１幕板係止部３５の第２金具７２の第１板部７２１の厚さ寸法よりもやや小さく設定されている。
【００２６】
図６および図８に示すように、第１天板被係止部２６は、鋼板を加工した第２金具７２が使用され、第２金具７２が第１天板２４の下面に固定されることで構成されている。
第２金具７２は、Ｌ字形状に形成され、Ｌ字形を形成一方の辺となる第１板部７２１と、他方の片となる第２板部７２２と、を有している。第１板部７２１と第２板部７２２とは、直角を成すように接続されている。
第１天板被係止部２６では、第１板部７２１が第１天板２４の下面に沿って固定され、第２板部７２２が固定板部７１１の後縁部から下側に突出している。第１板部７２１は、ネジなどの固定具で第１天板２４に固定されている。
本実施形態では、第１天板被係止部２６は、第１天板２４の左右方向に間隔をあけた２か所それぞれに設けられている。
【００２７】
図９に示すように、第１固定フレーム部２２は、上下方向に間隔をあけて第１壁部１４に固定される上側固定板部３１および下側固定板部３２と、左右方向に間隔をあけて配置され上側固定板部３１および下側固定板部３２それぞれに上側固定板部３１および下側固定板部３２よりも前方に突出するように固定される一対の突出板部３３と、一対の突出板部３３を連結する連結板部３４と、一対の連結板部３４それぞれに固定され第１幕板被係止部２５を係止する第１幕板係止部３５と、上側固定板部３１に固定され第１天板被係止部２６を係止する第１天板係止部３６と、を有している。
【００２８】
上側固定板部３１は、板面が長方形となる長尺の平板状に形成されている。上側固定板部３１は、左右方向に延びて板面が前後方向を向く向きで第１壁部１４に固定されている。
下側固定板部３２は、板面が長方形となる長尺の平板状に形成されている。下側固定板部３２は、上側固定板部３１よりも長さ寸法が短く形成されている、下側固定板部３２は、板面が左右方向に延びて前後方向を向く向きで第１壁部１４に固定されている。
上側固定板部３１および下側固定板部３２は、ネジなどの固定具で第１壁部１４に固定されている。
上側固定板部３１の左側の端面３１ａは、下側固定板部３２の左側の端面３２ａよりも左側に位置している。上側固定板部３１の右側の端面３１ｂは、下側固定板部３２の右側の端面３２ｂよりも右側に位置している。
第１壁部１４に止水栓などやコンセントが設けられている場合は、上側固定板部３１および下側固定板部３２は止水栓やコンセントを避けるように設置される。
【００２９】
一対の突出板部３３は、互いに同じ長尺の平板状に形成されている。一対の突出板部３３は、上下方向に延びて板面が左右方向を向く向きで上側固定板部３１および下側固定板部３２に固定されている。
一対の突出板部３３には、上下方向の中間部に後側に開口する切り欠き部３３１が形成されている。切り欠き部３３１は、給水管、排水管や電気配線などを設置可能に構成されている。
突出板部３３は、上下方向の寸法（長さ寸法）が上側固定板部３１の上端面３１ｃから下側固定板部３２の下端面３２ｃまでの寸法と同じ寸法に形成され、上端面３３ａが上側固定板部３１の上端面３１ｃの高さとなり、下端面３３ｂが下側固定板部３２の下端面３２ｃの高さとなるように上側固定板部３１および下側固定板部３２に固定されている。
【００３０】
一対の突出板部３３のうちの左側の突出板部３３は、切り欠き部３３１の上方の部分が上側固定板部３１の前面３１ｄにおける左側の端部近傍に前側から固定され、切り欠き部３１１の下方の部分が下側固定板部３２の左側の端面３２ａに左側から固定されている。
一対の突出板部３３のうちの右側の突出板部３３は、切り欠き部３３１の上方の部分が上側固定板部３１の前面３１ｄにおける左右方向の中間部に前側から固定され、切り欠き部３１１の下方の部分が下側固定板部３２の右側の端面３２ｂに右側から固定されている。
【００３１】
連結板部３４は、長尺の平板状に形成されている、連結板部３４は左右方向に延びて板面が前後方向を向く向きで一対の突出板部３３それぞれの上下方向の中間部と連結されている。連結板部３４は、前面が一対の突出板部３３それぞれの前端面と略面一となるように設けられている。連結板部３４は一対の突出板部３３それぞれの切り欠き部３３１が形成されている高さ範囲に設けられている。
第１固定フレーム部２２は、一対の突出板部３３および連結板部３４によって、切り欠き部３３１に配置された給水管、排水管や電気配線などが第１壁部１４から離間して前方に移動することを阻止することができる。
【００３２】
第１幕板係止部３５は、第１天板被係止部２６に使用されている金具と同じ第２金具７２が使用され、第２金具７２が一対の突出板部３３それぞれの互いに対向する側面に固定されることで構成されている。
第１幕板係止部３５では、第２金具７２は第１天板被係止部２６で使用されている向きと異なる向きで上側固定板部３１に固定されている。
図９および図１０に示すように、第１幕板係止部３５の第２金具７２は、第２板部７２２の板面が左右方向を向き第１板部７２１の板面が前後方向を向く姿勢となり、第２板部７２２が突出板部３３の側面に固定され、第１板部７２１が第２板部７２２の前縁部から対向する突出板部３３側に突出している。
第２板部７２２は、ネジなどの固定具で突出板部３３に固定されている。
第１板部７２１は、突出板部３３の前端面よりもやや前側に位置している。
【００３３】
図９に示すように、第１天板係止部３６は、第１幕板被係止部２５に使用されている金具と同じ第１金具７１が使用され、上側固定板部３１の前面に固定されることで構成されている。第１天板係止部３６は、左右方向に間隔をあけて２つ設けられている。
図１１に示すように、第１天板係止部３６では、第１金具７１は第１幕板被係止部２５で使用されている向きと異なる向きで上側固定板部３１に固定されている。
第１天板係止部３６の第１金具７１は、固定板部７１１が上側固定板部３１の前面に沿って固定され、突出板部７１２が固定板部７１１の上縁部から前側に突出し、鉛直板部７１３が突出板部７１２の前縁部から上側に延び、第１傾斜板部７１４が鉛直板部７１３から上側に向かって漸次後側に延び、第２傾斜板部７１５が第１傾斜板部７１４の上縁部からさらに上側に向かって漸次前側に延びる向きに配置されている。
第１天板係止部３６においても、固定板部７１１は、ネジなどの固定具で上側固定板部３１に固定されている。
【００３４】
第１金具７１が上側固定板部３１の前面３１ｄに固定されると、鉛直板部７１３、第１傾斜板部７１４および第２傾斜板部７１５は、それぞれ上側固定板部３１の前面と離間し、突出板部７１２の下側で、鉛直板部７１３、第１傾斜板部７１４および第２傾斜板部７１５と、上側固定板部３１の前面３１ｄとの間に隙間（以下、第２係止空部７１７とする）が形成される。
第１傾斜板部７１４と第２傾斜板部７１５との角部７１８と、上側固定板部３１の前面３１ｄとの間隔は、鉛直板部７１３と上側固定板部３１の前面３１ｄとの間隔よりも小さく設定されている。角部７１８と、上側固定板部３１の前面３１ｄとの間隔は、第１天板被係止部２６の第２金具７２の第２板部７２２の厚さ寸法よりもやや小さく設定されている。
【００３５】
このような第１カバー部２１は、第１固定フレーム部２２に対して上方から取り付けられるように構成されている。
第１カバー部２１を、第１固定フレーム部２２の上方から下降させ、第１幕板２３を第１固定フレーム部２２の突出板部３３の前側に配置し、第１固定フレーム部２２の突出板部３３および上側固定板部３１の上側に配置する。
このとき、図１２に示すように、第１幕板被係止部２５の第１係止空部７１６に、第１幕板係止部３５の第１板部７２１を下側から挿入させ、第１天板被係止部２６の第２板部７２２を第１天板係止部３６の第２係止空部７１７に上側から挿入する。
【００３６】
上述したように、第１幕板被係止部２５の第１金具７１の角部７１８と第１幕板２３の裏面２３２との間隔は、第１幕板係止部３５の第２金具７２の第１板部７２１の厚さ寸法よりもやや小さく設定されている。このため、第１板部７２１が第１係止空部７１６に挿入される際には、第１板部７２１が角部７１８とあたり、角部７１８と第１幕板２３の裏面２３２との間隔を広げるように第１金具７１を弾性変形させる。そして、第１金具７１の復元力によって角部７１８が第１板部７２１を第１幕板２３の裏面２３２に押し付け、第１板部７２１が第１金具７１と第１幕板２３の裏面２３２とに挟持された状態となる。
【００３７】
また、上述したように、第１天板係止部３６の第１金具７１の角部７１８と、上側固定板部３１の前面３１ｄとの間隔は、第１天板被係止部２６の第２金具７２の第２板部７２２の厚さ寸法よりもやや小さく設定されている。このため、第２板部７２２が第２係止空部７１７に挿入される際には、第２板部７２２が角部７１８とあたり、角部７１８と上側固定板部３１の前面３１ｄとの間隔を広げるように第１金具７１を弾性変形させる。そして、第１金具７１の復元力によって角部７１８が第２板部７２２を上側固定板部３１の前面３１ｄに押し付け、第２板部７２２が第１金具７１と上側固定板部３１の前面３１ｄとに挟持された状態となる。
【００３８】
これにより、第１幕板被係止部２５が第１幕板係止部３５に係止され、第１天板被係止部２６が第１天板係止部３６に係止される。そして、第１カバー部２１が第１固定フレーム部２２を介して第１壁部１４に係止される。
【００３９】
第１固定フレーム部２２から第１カバー部２１を外すには、第１カバー部２１を上方に引き上げ、第１幕板被係止部２５の第１係止空部７１６から第１幕板係止部３５の第１板部７２１を外し、第１天板被係止部２６の第２板部７２２を第１天板係止部３６の第２係止空部７１７から外した状態とする。これにより、第１カバー部２１は第１固定フレーム部２２から外れ、第１壁部１４から外れた状態となる。
本実施形態では、第１キャビネット２における第１天板２４の左右方向の縁部近傍の下側は空部となっている。このため、第１カバー部２１を第１固定フレーム部２２に着脱する際には、第１天板２４の左右方向の両縁部を把持し第１カバー部２１を上下に移動させることができる。
【００４０】
図４に示すように、第２キャビネット４は、便器１２の左側に設けられて便器１２（図１参照）と第２壁部１５との間の空間を閉塞する第２カバー部４１と、第２壁部１５に固定され、第２カバー部４１を着脱可能な第２固定フレーム部４２と、を有している。
【００４１】
図１３、図１４に示すように、第２カバー部４１は、第２幕板４３と、第２幕板４３と連結された第２天板４４と、第２幕板４３に取り付けられて第２固定フレーム部４２に係止される第２幕板被係止部４５（図１４参照）と、第２天板４４に設けられて第２固定フレーム部４２に係止される第２天板被係止部４６（図１４参照）と、を有している。
第２カバー部４１の第２幕板４３、第２天板４４、第２幕板被係止部４５、および第２天板被係止部４６は、第１カバー部２１の第１幕板２３、第１天板２４、第１幕板被係止部２５、および第１天板被係止部２６と設置位置や大きさ以外は、基本的にほぼ同様の形態となっている。以下の第２カバー部４１の説明では、第１カバー部２１と異なる点について説明する。
【００４２】
第２幕板４３は、平板状に形成され板面が左右方向を向いた姿勢で便器１２の左側に設置されている。第２幕板４３の上記の姿勢における右側を向く面を表面４３１とし、左側を向く面を裏面４３２とする。
第２幕板４３には、上部側の前側部分に、板面を貫通する開口部４３３が形成されている。開口部４３３には、トイレットペーパーホルダーが設置されるように構成されている。
第２天板４４は、平板状に形成され板面が上下方向を向いた姿勢で第２幕板４３の上端部に連結されている。
【００４３】
第２幕板被係止部４５は、第２幕板４３の裏面４３２の下部側における前後方向に間隔をあけた２か所にそれぞれに第１幕板被係止部２５と同様に第１金具７１が取り付けられることで設けられている。
突出板部７１２の下側で、鉛直板部７１３、第１傾斜板部７１４および第２傾斜板部７１５と第２幕板４３の裏面４３２との間には、第１係止空部７１６が形成されている。
【００４４】
第２天板被係止部４６は、第２天板４４の下面の左側の縁部近傍における前後方向に間隔をあけた２か所にそれぞれに第１天板被係止部２６と同様に第２金具７２が取り付けられることで設けられている。
【００４５】
図１５に示すように、第２固定フレーム部４２は、互いに上下方向に間隔をあけて第２壁部１５に固定される上側固定板部５１および下側固定板部５２と、上側固定板部５１および下側固定板部５２を前後方向から挟んだ状態で上側固定板部５１および下側固定板部５２にそれぞれに固定され、上側固定板部５１および下側固定板部５２よりも右側に突出する一対の突出板部５３と、一対の突出板部５３それぞれに固定され第２幕板被係止部４５を係止する第２幕板係止部５５と、上側固定板部５１に固定され第２天板被係止部４６を係止する第２天板係止部５６と、を有している。
【００４６】
上側固定板部５１は、板面が長方形となる長尺の平板状に形成されている。図１６に示すように、上側固定板部５１は、前後方向に延びて板面が左右方向を向く向きで第２壁部１５に固定されている。
下側固定板部５２は、板面が長方形となる長尺の平板状に形成されている。下側固定板部５２は、上側固定板部５１と同じ長さ寸法に形成されている。下側固定板部５２は、板面が前後方向に延びて左右方向を向く向きで第２壁部１５に固定されている。下側固定板部５２は、上側固定板部５１の鉛直方向下側に配置されている。
上側固定板部５１および下側固定板部５２は、ネジなどの固定具で第２壁部１５に固定されている。
【００４７】
一対の突出板部５３は、互いに同じ長尺の平板状に形成されている。一対の突出板部５３は、上下方向に延びて板面が前後方向を向く向きで上側固定板部５１および下側固定板部５２に固定されている。一対の突出板部５３には、第１固定フレーム部２２の一対の突出板部３３と同様に切り欠き部５３１が形成されている。切り欠き部５３１は、給水管、排水管や電気配線などを設置可能に構成されている。
【００４８】
突出板部５３は、上下方向の寸法（長さ寸法）が上側固定板部５１の上端面５１ａから下側固定板部５２の下端面５２ａまでの寸法と同じ寸法に形成され、上端面５３ａが上側固定板部５１の上端面５１ａの高さとなり、下端面５３ｂが下側固定板部５２の下端面５２ａの高さとなるように上側固定板部５１および下側固定板部５２に固定されている。
一対の突出板部５３のうちの前側の突出板部５３は、上側固定板部５１および下側固定板部５２の前側の端面５１ｂ，５２ｂに固定され、後側の突出板部５３は、上側固定板部５１および下側固定板部５２の後側の端面５１ｃ，５２ｃに固定されている。
【００４９】
第２幕板被係止部４５は、一対の突出板部５３の互いに対向する側面に第１幕板係止部３５と同様に第２金具７２が固定されることで設けられている。
第２幕板被係止部４５の第２金具７２は、第２固定フレーム部４２の一対の突出板部５３に対して第１幕板係止部３５の第２金具７２が第１固定フレーム部２２の一対の突出板部３３に取り付けられているのと同様に取り付けられている。
【００５０】
第２天板被係止部４６は、第１幕板被係止部２５に使用されている金具と同じ第１金具７１が使用され、上側固定板部３１の右側の面に固定されることで構成されている。
第２天板被係止部４６の第１金具７１は、第２固定フレーム部４２の上側固定板部５１に対して、第１天板係止部３６の第１金具７１が第１固定フレーム部２２の上側固定板部３１に取り付けられているのと同様に取り付けられている。
突出板部７１２の下側で、鉛直板部７１３、第１傾斜板部７１４および第２傾斜板部７１５と、上側固定板部３１の前面との間には、第２係止空部７１７が形成されている。
【００５１】
第２カバー部４１は、第１カバー部２１が第１固定フレーム部２２に着脱するのと同様に第２固定フレーム部４２に着脱可能に構成されている。
【００５２】
図１７、図１８に示すように、接続部６は、第１キャビネット２の左側の端部２ａ（図１７参照）と第２キャビネット４の後側の端部４ａ（図１７参照）との間の空間に形成された収納部６１と、収納部６１に対する便器１２（図１参照）が設けられている側に取り付け可能に構成され第１キャビネット２と第２キャビネット４との間隔を開閉可能な縦板部６２と、収納部６１の上部に設置可能に構成され収納部６１の上方を開閉可能な上板部６３と、を有している。
【００５３】
図１９および図２０に示すように、収納部６１は、第１壁部１４と第２壁部１５との角部１６の内側に設けられ、上下方向に長い空間に形成されている。収納部６１は、第１壁部１４と、第２壁部１５と、第１キャビネット２の左側の端部２ａと、第２キャビネット４の後側の端部４ａとに囲まれている。収納部６１には、上下方向の中間部に、収納部６１の空間を上下に仕切る棚板６５が設けられている。棚板６５の上部には、物品が収納され、棚板６５の下部には、手洗い器１３（図１１参照）の給水管、排水管や電気配線が配置される。
【００５４】
棚板６５は、平板状に形成され、板面が水平面となる向きに配置される。
棚板６５は、第１壁部１４に固定される平板状の固定板６６と接続されていて、固定板６６が第１壁部１４に固定されることで所定の位置に設置される。また、棚板６５は、Ｌ字形の固定金具で第２壁部１５に固定されている。固定板６６は、第１壁部１４に固定されると、上端面６６１が第１幕板２３の上端面２３４および第２幕板４３の上端面４３４と同じ高さに配置されている。
【００５５】
棚板６５は、板面が長方形の１つの角部を斜めに切除した五角形に形成されている。板面の５つの端面を第１〜第５端面６５１〜６５５とし、第１〜第５端面６５１〜６５５がこの順に連続しているものとする。
第１〜第５端面６５１〜６５５は、第１端面６５１と第３端面６５３とが平行に配置され、第２端面６５２と第４端面６５４とが第１端面６５１および第３端面６５３と直交する向きで平行に配置され、第５端面６５５が他の端面に対して斜めに配置されている。
【００５６】
棚板６５は、第１端面６５１が右側を向き、第２端面６５２が後側を向いて固定板６６と当接し、第３端面６５３が左側を向いて第２壁部１５と当接し、第４端面６５４が前側を向き、第５端面６５５が前側かつ右側となる斜め前方を向いている。第１端面６５１は、第１キャビネット２の左側の端部２ａよりも左側に配置されている。第４端面６５４は、第２キャビネット４の後側の端部４ａよりも後側に配置されている。第５端面６５５は、第１キャビネット２の前側かつ左側の角部（第１幕板２３の表面２３１と左側の端面とがなす角部）２ｂと第２キャビネット４の後側かつ右側の角部（第２幕板４３の表面４３１と後側の端面とがなす角部）４ｂとを結ぶ線よりも左側かつ後側となる斜め後ろ側に配置されている。
【００５７】
図１９および図２０に示すように、棚板６５の下面における第５端面６５５近傍には、縦板部６２に取り付けられた縦板被係止部６２３を係止可能な縦板係止部６５６が設けられている。
本実施形態では、縦板被係止部６２３および縦板係止部６５６は、例えばローラキャッチで構成されている。ローラキャッチの一対のローラを有する側の部材をローラ部材とし、挟持部の一対のローラに挟まれる凸部を有する部材を凸部材とすると、本実施形態では、縦板係止部６５６として棚板６５にローラ部材が設けられ、縦板被係止部６２３として縦板部６２に凸部材が設けられている。
【００５８】
図１９、図２１に示すように、縦板部６２は、板面が長尺の長方形となる平板状に形成されている。縦板部６２における長辺が延びる方向を長さ方向とし、短辺が延びる方向を幅方向とする。縦板部６２は、長さ方向が上下方向となり、板面が棚板６５の第５端面６５５（図１９参照）に沿った鉛直面となる向きで棚板６５に係止されるように構成されている。
縦板部６２の両面のうち、棚板６５に係止された際に棚板６５の第５端面６５５と対向する面を裏面６２２とし、その反対側の面を表面６２１とする。
【００５９】
縦板部６２は、表面６２１が裏面６２２よりも幅方向に大きく形成されている。縦板部６２の幅方向の両端面は、表面６２１および裏面６２２に対して直角とならず、４５°傾斜した面となっている。縦板部６２の幅方向の一方側の端面を第１端面６２４とし、他方側の端面を第２端面６２５とすると、第１端面６２４と第２端面６２５とは、裏側から表側に向かって漸次互いに離間するように幅方向に対称となる向きを向いている。このため、縦板部６２は、長さ方向から見ると台形となっている。
【００６０】
縦板部６２の裏面６２２には、縦板被係止部６２３およびＬ字形金具６２７が取り付けられている。
図２１に示すように、Ｌ字形金具６２７は、縦板部６２の裏面６２２における縦板被係止部６２３よりも上側に取り付けられている。縦板被係止部６２３とＬ字形金具６２７との間には、棚板６５（図２０参照）の厚さ寸法とほぼ同じ寸法の隙間が形成されている。
Ｌ字形金具６２７は、それぞれ平板状に形成され、Ｌ字形を形成するように縁部同士が接続している第１片６２７ａおよび第２片６２７ｂを有している。
第１片６２７ａは、一方の面が縦板部６２の裏面６２２と当接した状態で縦板部６２に固定されている。
第２片６２７ｂは、第１片６２７ａの下縁部から縦板部６２の裏面と離間する方向に突出している。第２片６２７ｂは、縦板部６２が棚板６５に取り付けられた際に板面が水平面となる向きに配置されている。
縦板部６２の上端面６２ａには、上方に突出するダボ６２６が設けられている。このダボ６２６は、上板部６３に形成されたダボ孔６３６に挿入されるように構成されている。
【００６１】
図１９に示すように、縦板部６２は、裏面６２２が棚板６５の第５端面６５５と対向する向きで棚板６５に取り付けられている。縦板部６２が棚板６５に取り付けられると、縦板部６２の第１端面６２４は、第１幕板２３の表面２３１における左側の縁部近傍と当接する。縦板部６２の第２端面６２５は、第２幕板４３の表面４３１における後側の縁部近傍と当接している。
なお、縦板部６２の第１端面６２４が、第１幕板２３の表面２３１と隙間をあけて対向し、第２端面６２５が第２幕板４３の表面４３１と隙間をあけて対向していてもよい。
縦板部６２は、第１幕板２３および第２幕板４３とほぼ同じ高さで棚板６５に取り付けられている。
【００６２】
縦板部６２を棚板６５に固定するには、縦板部６２を棚板６５に近づけ、縦板被係止部６２３の凸部材を縦板係止部６５６の一対のローラ間に挿入して係止させるとともに、図１８に示すように、Ｌ字形金具６７２の第２片３７２ｂを棚板６５の上面に載せる。
これにより、縦板部６２が棚板６５に取り付けられる。
Ｌ字形金具６２７の第２片６２７ｂが棚板６５の上面に載ることにより、縦板部６２が棚板６５から落下することが防止される。
なお、縦板部６２の裏面６２２には、Ｌ字形金具６２７が取り付けられていなくてもよく、また、Ｌ字形金具６２７に代わって、棚板６５の上面に載るように構成された部材が縦板部６２の裏面６２２から突出するように設けられていてもよい。
【００６３】
縦板部６２は、棚板６５に取り付けられると、第１幕板２３と第２幕板４３との隙間を塞ぎ、収納部６１の内部を便器１２側から隠すように構成されている。
上述したように、棚板６５は、第１端面６５４が第１幕板２３の表面２３１と当接し、第２端面６５５が第２幕板４３の表面４３１と当接する構成である。このため、第１キャビネット２の左右方向の位置および第２キャビネット４の前後方向の位置のいずれかまたは両方が異なり、第１幕板２３と第２幕板４３との間隔が異なる場合でも、第１幕板２３と第２幕板４３との間隔が縦板部６２の幅寸法よりも小さければ、同一の縦板部６２を採用することができる。
【００６４】
縦板部６２が棚板６５に係止されると、収納部６１の平面形状が五角形となり、平面視形状が四角形の収納スペースと比べると角部が削られ小さくなっているが、収納部にトイレットペーパーなど円柱状の物品を収容する場合では、角部が無くてもスペースが不足することがなく、縦板部６２が物品と当接することで物品の移動を拘束することができる。
【００６５】
図１７および図１８に示すように、上板部６３は、収納部６１、縦板部６２、第１キャビネット２の左側の端部２ａの近傍、第２キャビネット４の後側の端部４ａの近傍の上方に着脱可能に設置されている。上板部６３は、第１幕板２３の上端面２３４、第２幕板４３の上端面４３４、固定板６６の上端面６６１に載置されている。
上板部６３は、板面が長方形の１つの角部を斜めに切除した五角形に形成されている。板面の５つの端面を第１〜第５端面６３１〜６３５とし、第１〜第５端面６３１〜６３５がこの順に連続しているものとする。
【００６６】
第１〜第５端面６３１〜６３５は、第１端面６３１と第３端面６３３とが平行に配置され、第２端面６３２と第４端面６３４とが第１端面６３１および第３端面６３３と直交する向きで平行に配置され、第５端面６３５が他の端面に対して斜めに配置されている。
上板部６３は、収納部６１の上部に載置されると、第１端面６３１が右側を向き、第２端面６３２が後側を向いて第１壁部１４と対向し、第３端面６３３が左側を向いて第２壁部１５と対向し、第４端面６３４が前側を向き、第５端面６３５が前側かつ右側となる斜め前方を向いている。
【００６７】
第１端面６３１は、第１天板２４の左側の縁部よりも右側に配置され、上板部６３の第１端面６３１近傍は第１天板２４の上部に被さっている。第４端面６３４は、第２天板４４の後側の縁部よりも前側に配置され、上板部６３の第４端面６３４近傍は、第２天板４４の上に被さっている。第５端面６３５は、第１キャビネット２の前側かつ左側の角部（第１幕板２３の表面２３１と左側の端面とがなす角部）と第２キャビネット４の後側かつ右側の角部（第２幕板４３の表面４３１と後側の端面とがなす角部）とを結ぶ線よりも左側かつ前側となる斜め前方に配置されている。
上板部６３における第５端面６３５近傍には、下側に開口し、縦板部６２のダボ６２６を下側から挿入可能なダボ孔６３６が形成されている。
【００６８】
トイレキャビネット１は、給排水や電気のメンテナンスなどの際に、第１キャビネット２の第１カバー部２１、および第２キャビネット４の第２カバー部４１、接続部６の上板部６３および縦板部６２を取り外せるように構成されている。これらは、以下のように取り外す。
まず、接続部６の上板部６３を縦板部６２から外す。
続いて、縦板部６２を棚板６５から取り外す。
続いて、第１カバー部２１を上方に引き上げて第１固定フレーム部２２から取り外す。
続いて、第２カバー部４１を上方に引き上げて第２固定フレーム部４２から取り外す。なお、第１固定フレーム部２２よりも先に第２固定フレーム部４２を取り外してもよい。
このようにすることで、第１キャビネット２の内部、第２キャビネット４の内部および接続部６の収納部６１が露出した状態となり、メンテナンスなどを行うことができる。
【００６９】
次に、上述した第１実施形態によるトイレキャビネットの作用・効果について図面を用いて説明する。
上述した第１実施形態によるトイレキャビネット１では、天板（第１天板２４、第２天板４４）は、前端面２４１，４４１（便器１２側の端面）が幕板（第１幕板２３、第２幕板４３）の上部側の裏面２３２，４３２に接続されていることにより、トイレキャビネット１の便器１２側の面に幕板２３，４３と天板２４，４４との境界部が露出することを抑えることができるとともに、天板２４，４４の前端面２４１，４４１の露出を抑えることができる。このため、トイレキャビネット１の便器１２側の面の清掃性をよくすることができるとともに、意匠性を向上させることができる。
【００７０】
また、幕板２３，４３の上端面２３４，４３４は、天板２４，４４の上面２４２，４４２よりも上方に突出していることにより、天板２４，４４の上方に物品を載置した際に、物品が天板２４，４４の便器１２側の端部から落下することを防止することができる。また、幕板２３，４３と天板２４，４４との境界部が便器１２側から見えにくくなるため、意匠性を向上させることができる。
【００７１】
また、幕板２３，４３の上端面２３４，４３４は、天板２４，４４よりも１〜７ｍｍ上方に突出していることにより、天板２４，４４の上方に物品を載置した際に、物品が天板２４，４４の便器１２側の端部から落下することを防止することができるとともに、使用者が天板２４，４４の上に手をかけた際に天板２４，４４と幕板２３，４３との境界部分の段差と当たった場合でも、段差を不快に感じることがない。
【００７２】
また、天板２４，４４は、前端面２４１，４４１全体が幕板２３，４３の上部側の裏面２３２，４３２に接続されていることにより、トイレキャビネット１の便器１２側の面に幕板２３，４３と天板２４，４４との境界部が露出することがないとともに、天板２４，４４の前端面２４１，４４１の露出を無くすことができる。このため、トイレキャビネット１の便器１２側の面の清掃性を更によくすることができるとともに、意匠性を更に向上させることができる。
【００７３】
また、天板２４，４４は、前端面２４１，４４１全体が幕板２３，４３の裏面２３２，４３２と面接触していることにより、天板２４，４４と幕板２３，４３との隙間がなくなるため、隙間にゴミや埃がたまることがなく、トイレキャビネット１の清掃性をよくすることができる。
【００７４】
（他の実施形態）
次に、他の実施形態について、添付図面に基づいて説明するが、上述の第１実施形態と同一又は同様な部材、部分には同一の符号を用いて説明を省略し、第１実施形態と異なる構成について説明する。
【００７５】
（第２実施形態）
図２２に示すように、第２実施形態によるトイレキャビネット１Ｂは、接続部６Ｂの縦板部６２Ｂが第１実施形態と異なっている。
図２３に示すように、縦板部６２Ｂは、長尺に形成され、長さ方向が上下方向となる向きで第１キャビネット２および第２キャビネット４に係止される。縦板部６２Ｂは、長さ方向全体にわたって同じ断面形状に形成されている。第２実施形態による縦板部６２Ｂにおいても、一方の面が便器（不図示）に面するように配置されている。縦板部６２における便器と面する側を表側とし、その反対側を裏側とする。
【００７６】
縦板部６２Ｂは、第１幕板２３と第２幕板４３との間隔を塞ぐ縦板本体部８１と、第１幕板２３に係止される第１被係止板部８２と、第１被係止板部８２と縦板本体部８１とを接続する第１接続板部８３と、第２幕板４３に係止される第２被係止板部８４と、第２被係止板部８４と縦板本体部８１とを接続する第２接続板部８５と、を有している。
縦板本体部８１は、円弧板状で円弧の軸線方向に延びる形状に形成されている。縦板本体部８１は、上下方向に延び、湾曲して凹む面が表面８１１、湾曲して突出する面が裏面８１２となる向きに配置されている。縦板本体部８１の表面８１１は、便器を向くように設けられている。
【００７７】
第１被係止板部８２は、平板状に形成され、縦板本体部８１の幅方向の一方側の部分の裏側に間隔をあけて対向配置されている。なお、縦板本体部８１は円弧板状に形成されていて、第１被係止板部８２は平板状に形成されているため、縦板本体部８１の幅方向一方側の縁部近傍が第１被係止板部８２と平行に対向している。
第１接続板部８３は、平板状に形成され、第１被係止板部８２の幅方向の他方側の縁部と縦板本体部８１の幅方向の中間部とを接続している。第１接続板部８３は、第１被係止板部８２と直交する向きに配置されている。縦板部６２には、縦板本体部８１、第１被係止板部８２、第１接続板部８３に囲まれた第１空部８６が形成されている。
【００７８】
第２被係止板部８４は、平板状に形成され、縦板本体部８１の幅方向の他方側の部分の裏側に間隔をあけて対向配置されている。なお、縦板本体部８１は円弧板状に形成されで、第２被係止板部８４は平板状に形成されているため、縦板本体部８１の幅方向他方側の縁部近傍が第２被係止板部８４と平行に対向している。
第２接続板部８５は、平板状に形成され、第２被係止板部８４の幅方向の一方側の縁部と、縦板本体部８１の幅方向の中間部とを接続している。第２接続板部８５は、第２被係止板部８４と直交する向きに配置されている。縦板部６２には、縦板本体部８１、第２被係止板部８４、第２接続板部８５に囲まれた第２空部８７が形成されている。
【００７９】
第１被係止板部８２と第２被係止板部８４とは、互いに直交する方向を向いている。
縦板部６２は、樹脂などで形成され弾性変形可能に構成されている。
【００８０】
第２実施形態では、第１キャビネット２の第１カバー部２１の第１天板２４には、左側かつ前側の角部に左右方向に延びる第１天板切り欠き部２４３が形成されている。第１天板２４の第１天板切り欠き部２４３が形成されている部分は第１幕板２３と離間している。第１天板切り欠き部２４３は、第１天板２４と第１幕板２３に挟まれたスリットとなっている。
第２キャビネット４の第２カバー部４１の第２天板４４には、右側かつ後側の角部に前後方向に延びる第２天板切り欠き部４４３が形成されている。第２天板４４の第２天板切り欠き部４４３が形成されている部分は第２幕板４３と離間している。第２天板切り欠き部４４３は、第２天板４４と第２幕板４３に挟まれたスリットとなっている。
【００８１】
縦板部６２Ｂは、第１被係止板部８２を第１天板切り欠き部２４３に挿入するとともに、第１空部８６に第１幕板２３の左側の縁部近傍を挿入し、第２被係止板部８４を第２天板切り欠き部４４３に挿入するとともに、第２空部８７に第２幕板４３の後側の縁部近傍を挿入することで、第１キャビネット２および第２キャビネット４に係止される。
第１被係止板部８２の第１天板切り欠き部２４３への挿入深さ、第１空部への第１幕板２３の挿入深さ、第２被係止板部８４の第２天板切り欠き部４４３への挿入深さ、第２空部への第２幕板４３の挿入深さは、第１幕板２３と第２幕板４３との間隔に合わせた寸法とすることができる。このため、第１キャビネット２の左右方向の位置および第２キャビネット４の前後方向の位置のいずれかまたは両方が異なり、第１幕板２３と第２幕板４３との間隔が異なる場合でも、第１幕板２３と第２幕板４３との間隔が縦板本体部８１の幅寸法よりも小さく、第１接続板部８３と第２接続板部８５との間隔よりも大きければ、同一の縦板部６２を採用することができる。
【００８２】
第１被係止板部８２と縦板本体部８１とは、その間隔が第１幕板２３の厚さ寸法よりも小さくなるように設定され、第１被係止板部８２と縦板本体部８１との間を押し広げるようにして第１被係止板部８２と縦板本体部８１との間に第１幕板２３が挿入し、第１被係止板部８２と縦板本体部８１とが第１幕板２３を挟持するようにしてもよい。
同様に、第２被係止板部８４と縦板本体部８１との間隔を第２幕板４３の厚さ寸法よりも小さくし、第２被係止板部８４と縦板本体部８１との間を押し広げるようにして第２被係止板部８４と縦板本体部８１との間に第２幕板４３が挿入し、第２被係止板部８４と縦板本体部８１とが第２幕板４３を挟持するようにしてもよい。
第２実施形態では、縦板部６２Ｂが後側に突出するように湾曲しているため、縦板部６２Ｂよりも便器側のスペースを広く確保することができる。
【００８３】
第２実施形態によるトイレキャビネット１Ｂでは、第１実施形態と同様の効果をする。
【００８４】
（第３実施形態）
図２４および図２５に示すように、第３実施形態によるトイレキャビネット１Ｃは、第１キャビネット２Ｃの第１カバー部２１Ｃ（図２４参照）に、第１実施形態の第１カバー部２１に設けられた第１天板被係止部２６（図６参照）に代わって第１幕板上側被係止部２７が設けられ、第１固定フレーム部２２Ｃ（図２５参照）に第１実施形態の第１固定フレーム部２２に設けられた第１天板係止部３６（図９参照）に代わって第１幕板上側係止部３７が設けられている。
第１幕板上側被係止部２７が第１幕板上側係止部３７に係止されることで第１カバー部２１Ｃが第１固定フレーム部２２Ｃに取り付けられるように構成されている。
【００８５】
図２４に示すように、第１幕板上側被係止部２７は、第１幕板２３の裏面２３２における上端部近傍に左右方向に間隔をあけて２つ取り付けられている。２つの第１幕板上側被係止部２７は、左右方向に対称となる形状となっている。以下では、２つの第１幕板上側被係止部２７のうち、右側の第１幕板上側被係止部２７について詳細を説明し、左側の第１幕板上側被係止部２７の詳細については説明を省略する。
【００８６】
図２６に示すように、第１幕板上側被係止部２７は、鋼板を加工した金具で、第１幕板２３の裏面２３２に固定される固定部２７１と、固定部２７１から後側に突出する突出部２７２とを有し、突出部２７２に下側に開口する切り欠き部２７３が形成されている。
固定部２７１は、板面が略長方形となる平板状に形成され、一方の面が第１幕板２３の裏面２３２と当接している。
突出部２７２は、固定部２７１の右側の端部から後側に延びる平板状の第１板部２７４と、第１板部２７４の後端部から右側に延びる平板状の第２板部２７５と、第２板部２７５の右側の端部から後側に延びる平板状の第３板部２７６と、を有している。第３板部２７６は、板面が左右方向を向き、前後方向の中間部に切り欠き部２７３が形成されている。
【００８７】
図２４に示すように、右側の第１幕板上側被係止部２７は、第１幕板２３に対して、第１カバー部２１が第１固定フレーム部２２（図２５参照）に取り付けられた際に、第３板部２７６の右側の面が第１固定フレーム部２２の右側の突出板部３３の左側の面とわずかな隙間をあけて対向する位置に固定されている。
図２４に示すように、左側の第１幕板上側被係止部２７は、第１幕板２３に対して、第１カバー部２１が第１固定フレーム部２２（図２５参照）に取り付けられた際に、第３板部２６６の左側の面が第１固定フレーム部２２の左側の突出板部３３の右側の面とわずかな隙間をあけて対向する位置に固定されている。
【００８８】
図２７に示すように、第１幕板上側係止部３７は、第１固定フレーム部２２の一対の突出板部３３それぞれの上端部近傍に取り付けられている。右側の突出板部３３に取り付けられる第１幕板上側係止部３７と、左側の突出板部３３に取り付けられる第１幕板上側係止部３７とは、左右方向の向きが逆向きとなっている。第１幕板上側係止部３７は、右側の突出板部３３に対して左側から取り付けられ、左側の突出板部３３に対して右側から取り付けられている。
【００８９】
第１幕板上側係止部３７は、円柱状のネジ部３７１と、ネジ部３７１よりも径が大きくネジ部の軸線方向の一方の端部に同軸に連結された頭部３７２と、を有している。
第１幕板上側係止部３７は、軸線が左右方向に延びる向きで、ネジ部３７１が右側の突出板部３３に対しては左側から挿入され、左側の突出板部３３に対して右側から挿入されている。
ネジ部３７１は、全体が突出板部３３に挿入されず、基端側が突出板部３３から突出している。頭部３７２は、突出板部３３と左右方向に離間し、突出板部３３との間に隙間３７３が形成されている。この隙間３７３は、第１幕板上側被係止部２７の第３板部２６６（図２６参照）の厚さ寸法よりもやや大きく設定されている。
【００９０】
図２５に示すように、本実施形態では、第１固定フレーム部２２の一対の突出板部３３の上端面にフレーム側面ファスナー３８が取り付けられている。図２４に示すように、第１天板２４の下面における一対の突出板部３３の上端面と対向する位置に、フレーム側面ファスナー３８に着脱可能なカバー側面ファスナー２８が取り付けられている。
【００９１】
第１カバー部２１Ｃを第１固定フレーム部２２Ｃに取り付ける方法について説明する。
まず、第１カバー部２１Ｃを第１固定フレーム部２２Ｃの上方から下方に降ろして、第１幕板２３を第１固定フレーム部２２Ｃの一対の突出板部３３の前側に配置し、第１幕板２３を第１固定フレーム部２２の一対の突出板部３３の上側に配置する。
【００９２】
このとき、図２８に示すように、突出板部３３に取り付けられた第１幕板上側係止部３７の頭部３７２と突出板部３３との隙間３７３（図２７参照）に、第１幕板２３に取り付けられた第１幕板上側被係止部２７の第３板部２７６を差し込み、第３板部２７６の切り欠き部２７３に第１幕板上側係止部３７のネジ部３７１を挿入させて、第１幕板上側被係止部２７を第１幕板上側係止部３７に引っ掛けた状態とする。これにより、第１幕板上側被係止部２７が第１幕板上側係止部３７に係止され、第１カバー部２１Ｃが第１固定フレーム部２２Ｃに対して前後方向および下側に移動することが拘束される。
なお、本実施形態でも、第１カバー部２１Ｃには、上記の実施形態と同様に第１幕板被係止部２５が設けられ、第１固定フレーム部２２Ｃには、上記の実施形態と同様に、第１幕板係止部３５が設けられている。このため、本実施形態でも上記の実施形態と同様に第１幕板被係止部２５が第１幕板係止部３５に係止されている。
【００９３】
また、第１天板２４が一対の突出板部３３の上部に載置されることにより、第１天板２４の下面に取り付けられたカバー側面ファスナー２８が、突出板部３３の上端面に取り付けられたフレーム側面ファスナー３８に接着する。
このようにして第１カバー部２１Ｃが第１固定フレーム部２２Ｃに取り付けられる。
【００９４】
第３実施形態によるトイレキャビネット１Ｃでは、第１実施形態と同様の効果をする。
また、第１天板２４と一対の突出板部３３とが面ファスナーで接着されているため、第１カバー部２１Ｃが第１固定フレーム部２２に対して位置ずれすることを防止することができる。
なお、本実施形態では、第１キャビネット２Ｂに第１幕板上側被係止部２７および第１幕板上側係止部３７が設けられているが、第２キャビネット４に第１幕板上側被係止部２７および第１幕板上側係止部３７と同様の部材が設けられていてもよい。また、第２キャビネット４にカバー側面ファスナー２８およびフレーム側面ファスナー３８と同様の部材が設けられていてもよい。
【００９５】
（第４実施形態）
図２９に示すように、第４実施形態によるトイレキャビネット１Ｄは、第１キャビネット２Ｄの奥行き寸法（前後方向の寸法）が、例えば排水管の設置スペースを広く確保する必要があるなどの理由により、第２キャビネット４および他の実施形態の第１キャビネット２，２Ｃの奥行き寸法よりも大きく設定されている。
第４実施形態では、第１キャビネット２Ｄの第１カバー部２１Ｄの第１幕板２３Ｄと第１天板２４Ｄとは、連結されず別々に設けられている。
第１幕板２３Ｄは、第１固定フレーム部２２に着脱可能に構成されている。
第１天板２４Ｄは、第１固定フレーム部２２に回動可能に固定されている。
【００９６】
図３０および図３１に示す第１キャビネット２Ｄの第１固定フレーム部２２Ｄは、一対の突出板部３３Ｄの奥行き寸法が、上記の実施形態の一対の突出板部３３の奥行き寸法よりも大きく設定されている。一対の突出板部３３Ｄには、高さ方向の中間部に後側に開口する切り欠き部３３１Ｄが形成されている。
図３１に示すように、第１固定フレーム部２２Ｄには、一対の突出板部３３の間で切り欠き部３３１Ｄの上側に棚板３９が設けられている。棚板３９の上部には、物品を載置することができる。第１固定フレーム部２２Ｄには、第１幕板係止部３５および第１幕板上側係止部３７が取り付けられている。
【００９７】
第１幕板２３Ｄは、上記の実施形態と同様の平板状に形成され、第１幕板被係止部２５および第１幕板上側被係止部２７が取り付けられている。第１幕板２３Ｄは、第１幕板上側被係止部２７および第１幕板被係止部２５が第１固定フレーム部２２Ｄに取り付けられた第１幕板係止部３５および第１幕板上側係止部３７に係止されることにより、第１固定フレーム部２２に取り付けられるように構成されている。
【００９８】
第１天板２４Ｄは、右側に位置し第１固定フレーム部２２Ｄの上方を開閉する開閉部２５１と、左側に位置し第１固定フレーム部２２Ｄに固定された固定部２５２と、を有している。
開閉部２５１は、板面が長尺の長方形となる平板状に形成され、長さ方向が左右方向となる向きで第１固定フレーム部２２Ｄの上側固定板部３１の上端部に丁番２５３を介して回動可能に取り付けられている。
【００９９】
図３０に示すように、開閉部２５１は、板面が水平面となる姿勢（閉姿勢とする）となると第１固定フレーム部２２Ｄの上部を閉塞している。閉姿勢の開閉部２５１における後側の縁部を後縁部２５１ａとし、前側の縁部を前縁部２５１ｂとする。
開閉部２５１は、後縁部２５１ａ近傍に丁番２５３が固定されている。丁番２５３の回動軸は、左右方向に延びている。
図３１に示すように、開閉部２５１は、回動して前縁部２５１ｂが後縁部２５１ａの上側となる姿勢（開姿勢とする）となると第１固定フレーム部２２Ｄの上部を開放している。
【０１００】
開閉部２５１は、閉姿勢となると、右側の端部２５１ｃが第１固定フレーム部２２Ｄの右側の端部よりも右側で第１固定フレーム部２２Ｄの上方に位置し、左側の端部２５１ｄが左側の突出板部３３の上方に位置している。
また、開閉部２５１は、開姿勢となると前端面が第１幕板２３Ｄの後面とわずかな隙間をあけて対向または当接し、第１幕板２３Ｄに覆われている。開閉部２５１は、閉姿勢となると、上面が第１幕板２３Ｄの上端面よりも下側に位置している。すなわち、第１幕板２３Ｄの上端面が開閉部２５１よりも上方に突出している。
【０１０１】
固定部２５２は、第１固定フレーム部２２Ｄの左側の突出板部３３よりも左側の部分の上部に配置されている。固定部２５２の奥行き寸法は、開閉部２５１の奥行き寸法（前縁部２５１ｂと後縁部２５１ａとを結ぶ方向の寸法）とほぼ同じ寸法に設定されている。
図２９に示すように、固定部２５２は、左側の端部２５２ａが接続部６と隣接していて、固定部２５２の左側の縁部分の上部には、接続部６の上板部６３が載置される。なお、固定部２６２の上面および接続部６の上板部６３の下面には、互いに着脱可能な面ファスナーが取り付けられていてもよい。
固定部２５２は、前端面が第１幕板２３Ｄの後面と当接し、第１幕板２３Ｄに覆われている。固定部２５２は、上面が第１幕板２３Ｄの上端面よりも下側に位置している。すなわち、第１幕板２３Ｄの上端面が固定部２５２よりも上方に突出している。
第４実施形態では、第２キャビネット４は、上記の実施形態と同様に第２幕板４３と第２天板４４とが一体に設けられている。
【０１０２】
以上、本発明によるトイレキャビネットの実施形態について説明したが、本発明は上記の実施形態に限定されるものではなく、その趣旨を逸脱しない範囲で適宜変更可能である。
例えば、上記の第１実施形態では、接続部６の縦板部６２が平板状に形成され、第２実施形態では接続部６の縦板部６２が円弧板状に形成されているが、接続部６の縦板部６２は、図３２に示すような断面形状が表側に突出するＬ字形状となる屈曲した板状に形成されていてもよいし、図３３に示すような断面形状が裏側に突出するＬ字形状となる屈曲した板状に形成されていてもよい。縦板部６２の形状に合わせて収納部６１の形状も適宜設定されてよい。
【０１０３】
また、上記の実施形態では、天板２４，４４は、前端面２４１，４４１全体が幕板２３，４３の上部側の裏面２３２，４３２に接続されているが、前端面２４１，４４１の一部または複数の部分が幕板２３，４３の裏面２３２，４３２と接続されていなくてもよい。例えば、天板２４，４４の幅方向の寸法（第１天板２４では左右方向の寸法、第２天板４４では前後方向の寸法）が幕板２３，４３の幅方向の寸法よりも大きく、天板２４，４４の幅方向の端部が幕板２３，４３の幅方向の端部よりも突出する場合には、天板２４，４４の前端面２４１，４４１における幕板２３，４３の幅方向の端部よりも突出する部分が幕板２３，４３の裏面２３２，４３２と接続されていなくてもよい。
また、上記の実施形態では、天板２４，４４は、前端面２４１，４４１が幕板２３，４３と面接触しているが、面接触していなくてもよい。
【０１０４】
また、上記の実施形態では、幕板２３，４３の上端面２３４，４３４は、天板２４，４４の上面２４２，４４２よりも上方に突出している。
これに対し、図３４に示す第１キャビネット２の第１カバー部２１のように、第１幕板２３の上端面２３４と第１天板２４の上面２４２とが面一となるように第１幕板２３と第１天板２４とが接続されていてもよい。このような場合も、便器１２側に第１幕板２３と第１天板２４との接続部分が露出することを防止できる。
また、上記の実施形態では、幕板２３，４３の上端面２３４，４３４は、天板２４，４４よりも１〜７ｍｍ上方に突出しているが、幕板２３，４３が天板２４，４４よりも上方に突出する寸法は適宜設定されてよい。
【０１０５】
また、図３５に示す第１キャビネット２の第１カバー部２１のように、第１天板２４の前端面２４１が、上側部分２４５ａが下側から上側に向かって漸次後側に向かう傾斜面に形成されて、下側部分２４５ｂが前側を向く鉛直面に形成され、第１天板２４の前端面２４１の下側部分２４５ｂが第１幕板２３の後面２３２に接続され、上側部分２４５ａが第１幕板２３の後面２３２と離間し、第１天板２４の前端面２４１の上側部分２４５ａと第１幕板２３の裏面２３２との間に溝部２４３ａが形成されてもよい。図３５でも、第１幕板２３の上端面２３４と第１天板２４の上面２４４とが同一水平面上に配置されている。
このような場合も、便器１２側に第１幕板２３と第１天板２４との接続部分が露出することを防止できる。また、第１天板２４の上部に物品を載置した際に、物品の下縁部などの一部を溝部２４３ａに挿入することにより、物品が第１天板２４から落下することを防止することができる。
【０１０６】
図３６および図３７に示す第１キャビネット２の第１カバー部２１は、第１天板２４が第１幕板２３の上端面２３４の上部に載置され、第１天板２４の前端面２４１が第１幕板２３の表面２３１と面一となるように配置されている。
図３６に示す第１キャビネット２では、第１天板２４の前端部分にその後側よりも上側に突出する突出部２４６が設けられている。このようにすることにより、第１天板２４の上面２４４に物品を載置した際に、物品が突出部２４６の後側に配置されることにより、物品が第１天板２４から落下することを防止することができる。
【０１０７】
図３７に示す第１キャビネット２では、第１天板２４の上面２４２に左右方向に延びる溝部２４７が形成されている。このようにすることにより、第１天板２４の上部に物品を載置した際に、物品の下端部が溝部２４７に挿入されると、物品が第１天板２４から落下することを防止することができる。また、例えば、パネル上の物品を第１天板２４の上面２４４に立てて設置する際に、物品の下縁部を溝部２４７に挿入することにより、パネル状の物品を立てた状態に維持することができる。
【０１０８】
第１天板２４が第１幕板２３の上部に設置された形態において、第１天板２４の前端面２４１が第１幕板２３の表面よりも前側に位置するように配置されてもよい。
図３４−図３７の変形例は、第２キャビネット４の第２幕板４３および第２天板４４に適用されてもよい。
【０１０９】
また、上記の実施形態では、便器１２はタンクレストイレであるが、ロータンクを有する便器であってもよい。
また、上記の実施形態では、トイレキャビネット１は、第１キャビネット２と第２キャビネット４とが接続部６で接続されているが、第１キャビネット２のみまたは第２キャビネット４のみが設けられていてもよい。また、第１キャビネット２と第２キャビネット４とは、接続部６で接続されていなくてもよいし、上記の接続部６以外の部材や接続方法で接続されていてもよい。
【符号の説明】
【０１１０】
１，１Ｂ−１Ｄ  トイレキャビネット
２，２Ｃ，２Ｄ  第１キャビネット
４  第２キャビネット
１１  トイレ空間
１２  便器
２３，２３Ｄ  第１幕板
２４，２４Ｄ  第１天板
４３  第２幕板
４４  第２天板
２３２，４３２  裏面（側面）
２３４，４３４  上端面（上端部）
２４１，４４１  前端面（便器側の端面）
【図１】
2020110427.tif 000003
【図２】
2020110427.tif 000004
【図３】
2020110427.tif 000005
【図４】
2020110427.tif 000006
【図５】
2020110427.tif 000007
【図６】
2020110427.tif 000008
【図７】
2020110427.tif 000009
【図８】
2020110427.tif 000010
【図９】
2020110427.tif 000011
【図１０】
2020110427.tif 000012
【図１１】
2020110427.tif 000013
【図１２】
2020110427.tif 000014
【図１３】
2020110427.tif 000015
【図１４】
2020110427.tif 000016
【図１５】
2020110427.tif 000017
【図１６】
2020110427.tif 000018
【図１７】
2020110427.tif 000019
【図１８】
2020110427.tif 000020
【図１９】
2020110427.tif 000021
【図２０】
2020110427.tif 000022
【図２１】
2020110427.tif 000023
【図２２】
2020110427.tif 000024
【図２３】
2020110427.tif 000025
【図２４】
2020110427.tif 000026
【図２５】
2020110427.tif 000027
【図２６】
2020110427.tif 000028
【図２７】
2020110427.tif 000029
【図２８】
2020110427.tif 000030
【図２９】
2020110427.tif 000031
【図３０】
2020110427.tif 000032
【図３１】
2020110427.tif 000033
【図３２】
2020110427.tif 000034
【図３３】
2020110427.tif 000035
【図３４】
2020110427.tif 000036
【図３５】
2020110427.tif 000037
【図３６】
2020110427.tif 000038
【図３７】
2020110427.tif 000039